(57)【要約】      （修正有）【課題】ユーザーの利便性を向上できる画像形成装置を提供する。【解決手段】画像形成装置１００は、トナー供給部、画像形成部、タッチパネル１４１、判定部８０２、表示制御部８０４を備える。判定部８０２は、トナー供給部に装着されたトナーコンテナが、第１コンテナであるか、第１コンテナと相違する第２コンテナであるかを判定する。表示制御部８０４は、トナーコンテナに関連する情報である特定情報をタッチパネル１４１に表示する。表示制御部８０４は、第２コンテナの使用率に対応する特定情報を決定する。使用率は、トナーコンテナとして第２コンテナが使用される割合を示す。【選択図】図３
2019095689.tif 000002
【特許請求の範囲】
【請求項１】
消耗品を収容する交換部品が装着される装着部と、
前記消耗品を消費することによって記録媒体に画像を形成する画像形成部と、
ディスプレーと、
前記装着部に装着された交換部品が、第１交換部品であるか前記第１交換部品と相違する第２交換部品であるかを判定する判定部と、
前記交換部品に関連する情報である特定情報を前記ディスプレーに表示する表示制御部と
を備え、
前記表示制御部は、前記第２交換部品の使用率に対応する前記特定情報を決定し、
前記使用率は、前記交換部品として前記第２交換部品が使用される割合を示す、画像形成装置。
【請求項２】
前記特定情報は、当該画像形成装置の変動費に関する情報を示す、請求項１に記載の画像形成装置。
【請求項３】
前記特定情報は、前記消耗品の消費量、前記画像形成部におけるジャムの発生回数、及び前記画像形成装置の消費電力量の少なくとも１つを含む、請求項２に記載の画像形成装置。
【請求項４】
前記表示制御部は、前記使用率に基づいて、前記特定情報の表示頻度を決定する、請求項１から請求項３のいずれか１項に記載の画像形成装置。
【請求項５】
前記表示制御部は、前記使用率の値が大きい程、前記表示頻度を高くする、請求項４に記載の画像形成装置。
【請求項６】
前記使用率は、第１使用率と、前記第１使用率より小さい第２使用率とを含み、
前記第１使用率は、当該画像形成装置における使用率を示し、
前記表示制御部は、前記第１使用率に対応する前記特定情報と、前記第２使用率に対応する前記特定情報とを表示する、請求項１から請求項５のいずれか１項に記載の画像形成装置。
【請求項７】
前記使用率は、前記第１使用率より大きい第３使用率を含み、
前記表示制御部は、前記第３使用率に対応する前記特定情報を更に表示する、請求項６に記載の画像形成装置。
【請求項８】
前記装着部には、複数色の消耗品をそれぞれ収容する複数個の交換部品が装着され、
前記画像形成部は、前記複数色の消耗品を消費することによって前記記録媒体にカラー画像を形成可能であり、
前記判定部は、前記複数個の交換部品の各々が前記第１交換部品であるか、前記第２交換部品であるかを判定し、
前記特定情報は、前記複数個の交換部品に関連する情報である、請求項１から請求項７のいずれか１項に記載の画像形成装置。
【請求項９】
前記使用率を算出する算出部を更に備え、
前記算出部は，前記装着部に装着された前記第２交換部品の個数の前記複数個に対する割合を前記使用率として算出する、請求項８に記載の画像形成装置。
【請求項１０】
前記使用率を算出する算出部を更に備え、
前記複数個の交換部品の各々には重みが付与されており、
前記算出部は，前記判定部の判定結果と、前記重みとに基づき、前記使用率を算出する、請求項８に記載の画像形成装置。
【請求項１１】
前記使用率を算出する算出部を更に備え、
前記算出部は、前記複数色の消耗品の各々について、第１消耗品の消費量の累計値と、第２消耗品の消費量の累計値とに基づき、前記使用率を算出し、
前記第１消耗品は、前記第１交換部品に収納された前記消耗品を示し、
前記第２消耗品は、前記第２交換部品に収納された前記消耗品を示す、請求項８に記載の画像形成装置。
【発明の詳細な説明】
【技術分野】
【０００１】
本発明は、画像形成装置に関する。
【背景技術】
【０００２】
特許文献１に記載の画像形成装置の制御部は、トナーカートリッジが純正品であるか、非純正品であるかの判別を行う。そして、制御部は、非純正品であると判別した場合には、課金方式に基づいて、印刷動作を許可するか制限するかを決定する。具体的には、制御部は、課金方式がチャージ方式である場合には、１枚も印刷することなく印刷動作を禁止する。チャージ方式は、印刷枚数に応じて課金を行う方式を示す。
【先行技術文献】
【特許文献】
【０００３】
【特許文献１】特開２００９−８７５７号公報
【発明の概要】
【発明が解決しようとする課題】
【０００４】
特許文献１に記載の画像形成装置では、トナーカートリッジが非純正品であると判別し、且つ、課金方式がチャージ方式である場合には、１枚も印刷することなく印刷動作が禁止されるため、ユーザーの利便性が低下する。
【０００５】
本発明は、上記課題に鑑みてなされたものであり、ユーザーの利便性を向上することが可能な画像形成装置を提供することを目的としている。
【課題を解決するための手段】
【０００６】
本発明に係る画像形成装置は、装着部と、画像形成部と、ディスプレーと、判定部と、表示制御部とを備える。前記装着部は、消耗品を収容する交換部品が装着される。前記画像形成部は、前記消耗品を消費することによって記録媒体に画像を形成する。前記判定部は、前記装着部に装着された交換部品が、第１交換部品であるか前記第１交換部品と相違する第２交換部品であるかを判定する。前記表示制御部は、前記交換部品に関連する情報である特定情報を前記ディスプレーに表示する。前記表示制御部は、前記第２交換部品の使用率に対応する前記特定情報を決定する。前記使用率は、前記交換部品として前記第２交換部品が使用される割合を示す。
【発明の効果】
【０００７】
本発明の画像形成装置によれば、ユーザーの利便性を向上できる。
【図面の簡単な説明】
【０００８】
【図１】本発明の実施形態に係る画像形成装置の構成の一例を示す図である。
【図２】本発明の実施形態に係る画像形成部の構成の一例を示す図である。
【図３】本発明の実施形態に係る制御部の構成の一例を示す図である。
【図４】使用率と表示条件と表示内容との関係を示す図である。
【図５】タッチパネルに表示するコンテナ比較画面の一例を示す画面図である。
【図６】タッチパネルに表示するコンテナ比較画面の別の一例を示す画面図である。
【図７】制御部の処理の一例を示すフローチャートである。
【図８】制御部の処理の一例を示すフローチャートである。
【図９】制御部のコスト算出処理の一例を示すフローチャートである。
【図１０】制御部のコスト算出処理の一例を示すフローチャートである。
【発明を実施するための形態】
【０００９】
以下、本発明の実施形態について、図面（図１〜図１０）を参照しながら説明する。なお、図中、同一又は相当部分については同一の参照符号を付して説明を繰り返さない。
【００１０】
まず、図１を参照して、本発明の実施形態に係る画像形成装置１００の構成について説明する。図１は、画像形成装置１００の構成を示す図である。画像形成装置１００は、カラー複合機である。
【００１１】
図１に示すように、画像形成装置１００は、画像形成ユニット１、画像読取ユニット２、原稿搬送ユニット３、操作パネル１４及び制御部８を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作パネル１４は、ユーザーからの操作を受け付ける。制御部８は、画像形成装置１００の動作を制御する。
【００１２】
画像形成ユニット１は、筐体１０、給送部１２、搬送部Ｌ、トナー供給部１３、画像形成部４及び排出部１７を備える。画像形成部４は、転写部５及び定着部１６を含む。筐体１０は、給送部１２、搬送部Ｌ、トナー供給部１３、画像形成部４及び排出部１７を収容する。筐体１０は、前面カバー１０１を備える。
【００１３】
給送部１２は、用紙Ｐを搬送部Ｌへ供給する。搬送部Ｌは、用紙Ｐを転写部５及び定着部１６を経由して排出部１７まで搬送する。用紙Ｐは、「記録媒体」の一例に相当する。
【００１４】
トナー供給部１３は、画像形成部４にトナーを供給する。トナー供給部１３には、トナーコンテナＴＣｃ、トナーコンテナＴＣｍ、トナーコンテナＴＣｙ及びトナーコンテナＴＣｋが装着される。トナーコンテナＴＣｃ〜トナーコンテナＴＣｋは、「交換部品」の一例に相当する。以下の説明において、トナーコンテナＴＣｃ〜トナーコンテナＴＣｋの各々を、トナーコンテナＴＣと総称する場合がある。トナー供給部１３は、「装着部」の一例に相当する。
【００１５】
トナーコンテナＴＣｃには、シアン色のトナーＴＮ１が収納される。トナーコンテナＴＣｃは、画像形成部４にシアン色のトナーＴＮ１を供給する。トナーコンテナＴＣｍには、マゼンタ色のトナーＴＮ２が収納される。トナーコンテナＴＣｍは、画像形成部４にマゼンタ色のトナーＴＮ２を供給する。トナーコンテナＴＣｙには、イエロー色のトナーＴＮ３が収納される。トナーコンテナＴＣｙは、画像形成部４にイエロー色のトナーＴＮ３を供給する。トナーコンテナＴＣｋには、黒色のトナーＴＮ４が収納される。トナーコンテナＴＣｋは、画像形成部４に黒色のトナーＴＮ４を供給する。シアン色のトナーＴＮ１、マゼンタ色のトナーＴＮ２、イエロー色のトナーＴＮ３及び黒色のトナーＴＮ４は、「消耗品」の一例に相当する。以下の説明において、シアン色のトナーＴＮ１、マゼンタ色のトナーＴＮ２、イエロー色のトナーＴＮ３及び黒色のトナーＴＮ４の各々を、トナーＴＮと総称する場合がある。
【００１６】
トナーコンテナＴＣｃは、ＩＣ（Ｉｎｔｅｇｒａｔｅｄ  Ｃｉｒｃｕｉｔ）タグ６１を備える。ＩＣタグ６１は、トナーコンテナＴＣｃの周面に配置される。ＩＣタグ６１は、トナーコンテナＴＣｃの識別情報ＪＤｃを記憶する。トナーコンテナＴＣｍは、ＩＣタグ６２を備える。ＩＣタグ６２は、トナーコンテナＴＣｍの周面に配置される。ＩＣタグ６２は、トナーコンテナＴＣｍの識別情報ＪＤｍを記憶する。
【００１７】
トナーコンテナＴＣｙは、ＩＣタグ６３を備える。ＩＣタグ６３は、トナーコンテナＴＣｙの周面に配置される。ＩＣタグ６３は、トナーコンテナＴＣｙの識別情報ＪＤｙを記憶する。トナーコンテナＴＣｋは、ＩＣタグ６４を備える。ＩＣタグ６４は、トナーコンテナＴＣｋの周面に配置される。ＩＣタグ６４は、トナーコンテナＴＣｋの識別情報ＪＤｋを記憶する。以下の説明において、ＩＣタグ６１〜ＩＣタグ６４の各々を、ＩＣタグ６と総称する場合がある。また、識別情報ＪＤｃ、識別情報ＪＤｍ、識別情報ＪＤｙ及び識別情報ＪＤｋの各々を、識別情報ＪＤと総称する場合がある。
【００１８】
トナー供給部１３には、トナーコンテナＴＣが着脱自在である。トナーコンテナＴＣをトナー供給部１３から取り出す場合には、前面カバー１０１が開放される。また、トナーコンテナＴＣをトナー供給部１３に装着する場合には、前面カバー１０１が開放される。トナー供給部１３は、残量センサーＳ１、リーダー７１、残量センサーＳ２、リーダー７２、残量センサーＳ３、リーダー７３、残量センサーＳ４及びリーダー７４を備える。
【００１９】
残量センサーＳ１は、トナーコンテナＴＣｃに収納されているシアン色のトナーＴＮ１の残量ＲＴｃを検出する。リーダー７１は、ＩＣタグ６１からトナーコンテナＴＣｃの識別情報ＪＤｃを読み取る。残量センサーＳ２は、トナーコンテナＴＣｍに収納されているマゼンタ色のトナーＴＮ２の残量ＲＴｍを検出する。リーダー７２は、ＩＣタグ６２からトナーコンテナＴＣｍの識別情報ＪＤｍを読み取る。
【００２０】
残量センサーＳ３は、トナーコンテナＴＣｙに収納されているイエロー色のトナーＴＮ３の残量ＲＴｙを検出する。リーダー７３は、ＩＣタグ６３からトナーコンテナＴＣｙの識別情報ＪＤｙを読み取る。残量センサーＳ４は、トナーコンテナＴＣｋに収納されている黒色のトナーＴＮ４の残量ＲＴｋを検出する。リーダー７４は、ＩＣタグ６４からトナーコンテナＴＣｋの識別情報ＪＤｋを読み取る。以下の説明において、残量センサーＳ１〜残量センサーＳ４の各々を、残量センサーＳと総称する場合がある。また、リーダー７１〜リーダー７４の各々を、リーダー７と総称する場合がある。残量ＲＴｃ、残量ＲＴｍ、残量ＲＴｙ及び残量ＲＴｋの各々を、残量ＲＴと総称する場合がある。
【００２１】
画像形成部４は、用紙Ｐに画像を形成する。転写部５は、中間転写ベルト５４を備える。画像形成部４が、中間転写ベルト５４上にシアン色、マゼンタ色、イエロー色、及び黒色のトナー像を転写する。複数色のトナー像が中間転写ベルト５４上で重畳され、中間転写ベルト５４上に画像が形成される。転写部５は、中間転写ベルト５４上に形成された画像を、用紙Ｐ上に転写する。その結果、用紙Ｐに画像が形成される。画像形成部４については、後述にて図２を参照して詳細に説明する。
【００２２】
定着部１６は、用紙Ｐを加熱及び加圧し、用紙Ｐに形成された画像を用紙Ｐに定着する。排出部１７は、用紙Ｐを画像形成装置１００の外部に排出する。
【００２３】
操作パネル１４は、タッチパネル１４１を備える。タッチパネル１４１は、例えば、ＬＣＤ（Ｌｉｑｕｉｄ  Ｃｒｙｓｔａｌ  Ｄｉｓｐｌａｙ）を備え、種々の画像を表示する。また、タッチパネル１４１は、タッチセンサーを備え、ユーザーからの操作を受け付ける。タッチパネル１４１は、「ディスプレー」の一例に相当する。
【００２４】
制御部８は、プロセッサー８１及び記憶部８２を備える。プロセッサー８１は、例えばＣＰＵ（Ｃｅｎｔｒａｌ  Ｐｒｏｃｅｓｓｉｎｇ  Ｕｎｉｔ）を備える。記憶部８２は、半導体メモリーのようなメモリーを備え、ＨＤＤ（Ｈａｒｄ  Ｄｉｓｋ  Ｄｒｉｖｅ）を備えてもよい。記憶部８２は、制御プログラムを記憶している。
【００２５】
次に、図１及び図２を参照して、本発明の実施形態に係る画像形成部４の構成について説明する。図２は、画像形成部４の構成の一例を示す図である。図２に示すように、画像形成部４は、画像形成部４ｃ、画像形成部４ｍ、画像形成部４ｙ及び画像形成部４ｋを備える。
【００２６】
画像形成部４ｃ、画像形成部４ｍ、画像形成部４ｙ及び画像形成部４ｋの各々は、露光部４１、感光体ドラム４２、現像部４３、帯電ローラー４４及びクリーニングブレード４５を備える。画像形成部４ｃ、画像形成部４ｍ、画像形成部４ｙ及び画像形成部４ｋの各々の構成は、供給されるトナーＴＮの色が異なるのみで、その他の構成は略同一である。したがって、以下の説明では、シアン色のトナーＴＮ１が供給される画像形成部４ｃの構成について説明し、画像形成部４ｃ以外の画像形成部４ｍ、画像形成部４ｙ及び画像形成部４ｋの構成についての説明は省略する。
【００２７】
画像形成部４ｃは、露光部４１ｃ（４１）、感光体ドラム４２ｃ（４２）、現像部４３ｃ（４３）、帯電ローラー４４ｃ（４４）及びクリーニングブレード４５ｃ（４５）を有する。
【００２８】
帯電ローラー４４ｃは、感光体ドラム４２ｃを所定の電位に帯電させる。露光部４１ｃは、感光体ドラム４２ｃにレーザー光を照射して露光し、感光体ドラム４２ｃに静電潜像を形成する。現像部４３ｃは、現像ローラー４３１ｃを有する。現像ローラー４３１ｃは、感光体ドラム４２ｃにシアン色のトナーＴＮ１を供給し、静電潜像を現像してトナー像を形成する。このようにして、感光体ドラム４２ｃの周面にシアン色のトナー像が形成される。
【００２９】
クリーニングブレード４５ｃは、その先端（図２では上端）が、感光体ドラム４２ｃの周面と摺接する。感光体ドラム４２ｃの周面とクリーニングブレード４５ｃの先端とが摺接することで、感光体ドラム４２ｃの周面に残留するシアン色のトナーＴＮ１が除去される。
【００３０】
転写部５は、用紙Ｐにトナー像を転写する。転写部５は、一次転写ローラー５１、二次転写ローラー５２、駆動ローラー５３、中間転写ベルト５４及び従動ローラー５５を備える。一次転写ローラー５１は、感光体ドラム４２からシアン色、マゼンタ色、イエロー色、及び黒色のトナー像を中間転写ベルト５４に転写する。一次転写ローラー５１は、一次転写ローラー５１ｃ、一次転写ローラー５１ｍ、一次転写ローラー５１ｙ及び一次転写ローラー５１ｋを含む。
【００３１】
駆動ローラー５３は、中間転写ベルト５４を駆動する。中間転写ベルト５４は、一次転写ローラー５１、駆動ローラー５３及び従動ローラー５５に張架された無端ベルトである。中間転写ベルト５４は、駆動ローラー５３によって、矢印Ｄ１及び矢印Ｄ２に示すように、反時計回りに回転駆動される。従動ローラー５５は、中間転写ベルト５４の回転に伴って回転駆動される。ブレード５６は、中間転写ベルト５４の表面に残留しているトナーＴＮを除去する。
【００３２】
画像形成部４は、廃棄トナーコンテナ４６を装着可能に構成される。廃棄トナーコンテナ４６は、廃棄トナーＴＮＤを収納する。廃棄トナーＴＮＤは、クリーニングブレード４５によって除去されたトナーＴＮと、ブレード５６によって除去されたトナーＴＮとを含む。
【００３３】
画像形成部４は、廃棄トナー量センサー４６１を更に備える。廃棄トナー量センサー４６１は、廃棄トナーコンテナ４６に収納された廃棄トナーＴＮＤの量を検出する。
【００３４】
二次転写ローラー５２は、駆動ローラー５３に押圧され、二次転写ローラー５２と駆動ローラー５３との間にニップ部ＮＱが形成される。二次転写ローラー５２は、用紙Ｐがニップ部ＮＱを通過する際に、中間転写ベルト５４上のトナー像を用紙Ｐに転写する。
【００３５】
次に、図１〜図３を参照して、本発明の実施形態に係る制御部８の構成について説明する。図３は、制御部８の構成の一例を示す図である。
【００３６】
図３に示すように、制御部８は、取得部８０１、判定部８０２、算出部８０３及び表示制御部８０４を備える。具体的には、制御部８のプロセッサー８１は、制御プログラムを実行することによって、取得部８０１、判定部８０２、算出部８０３及び表示制御部８０４として機能する。
【００３７】
取得部８０１は、リーダー７を介して、トナー供給部１３に装着されたトナーコンテナＴＣの識別情報ＪＤを取得する。
【００３８】
判定部８０２は、トナー供給部１３に装着されたトナーコンテナＴＣが、第１コンテナＴＣ１であるか、第１コンテナＴＣ１と相違する第２コンテナＴＣ２であるかを判定する。第１コンテナＴＣ１は、例えば、専用品を示す。第２コンテナＴＣ２は、例えば、非専用品を示す。
【００３９】
具体的には、判定部８０２は、トナーコンテナＴＣの識別情報ＪＤに基づいて、トナーコンテナＴＣが、第１コンテナＴＣ１であるか、第２コンテナＴＣ２であるかを判定する。
【００４０】
算出部８０３は、第２コンテナＴＣ２の使用率ＲＣを算出する。使用率ＲＣは、トナーコンテナＴＣとして第２コンテナＴＣ２が使用される割合を示す。具体的には、使用率ＲＣは、トナーコンテナＴＣ（トナーコンテナＴＣｃ〜トナーコンテナＴＣｋ）の総数（例えば、４つ）に対する第２コンテナＴＣ２の個数の割合を示す。
【００４１】
例えば、４つのトナーコンテナＴＣの全てが第１コンテナＴＣ１である場合には、使用率ＲＣは零％（＝０／４×１００）である。１つのトナーコンテナＴＣ（例えば、トナーコンテナＴＣｃ）だけが第２コンテナＴＣ２である場合には、使用率ＲＣは２５％（＝１／４×１００）である。２つのトナーコンテナＴＣ（例えば、トナーコンテナＴＣｃ及びトナーコンテナＴＣｋ）だけが第２コンテナＴＣ２である場合には、使用率ＲＣは５０％（＝２／４×１００）である。４つのトナーコンテナＴＣの全てが第２コンテナＴＣ２である場合には、使用率ＲＣは１００％（＝４／４×１００）である。
【００４２】
表示制御部８０４は、第２コンテナＴＣ２の使用率ＲＣに対応する特定情報ＪＰを決定し、タッチパネル１４１に表示する。特定情報ＪＰは、トナーコンテナＴＣに関連する情報である。具体的には、特定情報ＪＰは、画像形成装置１００の変動費に関する情報を示す。更に具体的には、特定情報ＪＰは、トナーＴＮの消費量ＣＳ、画像形成部４におけるジャムの発生回数ＮＪ及び画像形成装置１００の消費電力量Ｑを含む。
【００４３】
以上、図１〜図３を参照して説明したように、本発明の実施形態では、表示制御部８０４は、第２コンテナＴＣ２の使用率ＲＣに対応する特定情報ＪＰを決定し、タッチパネル１４１に表示する。特定情報ＪＰは、画像形成装置１００の変動費に関する情報を示す。例えば、表示制御部８０４は、使用率ＲＣが第１使用率ＲＣ１である場合のトナーＴＮの消費量ＣＳと、使用率ＲＣが第１使用率ＲＣ１より低い第２使用率ＲＣ２である場合のトナーＴＮの消費量ＣＳを表示する。この場合には、ユーザーは、使用率ＲＣが第１使用率ＲＣ１である場合のトナーＴＮの消費量ＣＳと、使用率ＲＣが第２使用率ＲＣ２である場合のトナーＴＮの消費量ＣＳとを比較できる。したがって、ユーザーの利便性を向上できる。
【００４４】
また、特定情報ＪＰは、画像形成装置１００の変動費に関する情報を示す。よって、例えば、第２コンテナＴＣ２を使用している場合には、第１コンテナＴＣ１を使用している場合と比較して、変動費が高いことをユーザーが確認可能である。したがって、ユーザーの利便性を更に向上できる。
【００４５】
更に、特定情報ＪＰは、トナーＴＮの消費量ＣＳ、画像形成部４におけるジャムの発生回数ＮＪ及び画像形成装置１００の消費電力量Ｑを含む。よって、例えば、第２コンテナＴＣ２を使用している場合には、第１コンテナＴＣ１を使用している場合と比較して、トナーＴＮの消費量ＣＳが多いことをユーザーが確認できる。したがって、ユーザーの利便性を更に向上できる。
【００４６】
また、使用率ＲＣは、トナーコンテナＴＣの総数（例えば、４つ）に対する第２コンテナＴＣ２の個数の割合を示す。したがって、使用率ＲＣを容易に算出できる。
【００４７】
なお、本発明の実施形態では、特定情報ＪＰは、トナーＴＮの消費量ＣＳ、画像形成部４におけるジャムの発生回数ＮＪ及び画像形成装置１００の消費電力量Ｑを含むが、本発明はこれに限定されない。特定情報ＪＰが、トナーＴＮの消費量ＣＳ、画像形成部４におけるジャムの発生回数ＮＪ及び画像形成装置１００の消費電力量Ｑの少なくとも１つを含めばよい。例えば、特定情報ＪＰが、トナーＴＮの消費量ＣＳだけを示す形態でもよい。この場合には、制御部８の処理が簡素化される。また、特定情報ＪＰが、廃棄トナーＴＮＤの発生量を含んでもよい。廃棄トナーＴＮＤの発生量は、廃棄トナー量センサー４６１によって検出される。
【００４８】
なお、用紙Ｐはジャムの発生に起因して損傷するため、ジャムの発生回数ＮＪが多い程、廃棄される用紙Ｐの枚数が増加する。したがって、ジャムの発生回数ＮＪは変動費（例えば、用紙Ｐの使用量）と関係している。
【００４９】
また、第２コンテナＴＣ２（例えば、非専用品）に収納されたトナーＴＮは、第１コンテナＴＣ１（例えば、専用品）に収納されたトナーＴＮと比較して、定着性が劣る場合がある。よって、第２コンテナＴＣ２を使用している場合には、第１コンテナＴＣ１を使用している場合と比較して、定着温度が高くなる可能性がある。定着温度が高い程、定着部１６において用紙Ｐが大きく熱変形する。その結果、第２コンテナＴＣ２を使用している場合には、第１コンテナＴＣ１を使用している場合と比較して、ジャムの発生回数ＮＪが多い可能性がある。すなわち、ジャムの発生回数ＮＪは、トナーコンテナＴＣに関連する情報である。よって、ジャムの発生回数ＮＪは、特定情報ＪＰに含まれる。
【００５０】
次に、図３〜図６を参照して、制御部８の構成について更に説明する。図４は、使用率ＲＣと表示条件ＤＣと表示内容ＤＧとの関係を示す図である。表示条件ＤＣは、表示制御部８０４がコンテナ比較画面９００をタッチパネル１４１に表示する条件を示す。表示内容ＤＧは、表示制御部８０４がコンテナ比較画面９００に表示する内容を示す。コンテナ比較画面９００は、使用率ＲＣと特定情報ＪＰとの関係を示す画面である。コンテナ比較画面９００については、後述にて図５及び図６を参照して詳細に説明する。
【００５１】
表示制御部８０４は、使用率ＲＣに基づいて、特定情報ＪＰの表示頻度を決定する。具体的には、表示制御部８０４は、使用率ＲＣの値が大きい程、特定情報ＪＰの表示頻度を高くする。更に具体的には、表示制御部８０４は、使用率ＲＣの値が大きい程、コンテナ比較画面９００の表示頻度を高くする。以下、図４を参照して、表示制御部８０４の処理について更に具体的に説明する。
【００５２】
図４の表示条件ＤＣの欄に示すように、使用率ＲＣが零％である場合には、表示制御部８０４は、コンテナ比較画面９００を表示しない。
【００５３】
また、使用率ＲＣが２５％である場合には、表示条件ＤＣの欄に示すように、表示制御部８０４は、第２コンテナＴＣ２がトナー供給部１３に装着された時に、コンテナ比較画面９００を表示する。コンテナ比較画面９００には、表示内容ＤＧの欄に示すように、使用率ＲＣが、零％及び２５％の各々の場合における特定情報ＪＰを表示する。
【００５４】
使用率ＲＣが５０％である場合には、表示条件ＤＣの欄に示すように、表示制御部８０４は、第２コンテナＴＣ２がトナー供給部１３に装着された時、及び前面カバー１０１を開放した時に、コンテナ比較画面９００を表示する。コンテナ比較画面９００には、表示内容ＤＧの欄に示すように、使用率ＲＣが、零％、２５％及び５０％の各々の場合における特定情報ＪＰを表示する。
【００５５】
使用率ＲＣが７５％である場合には、表示条件ＤＣの欄に示すように、表示制御部８０４は、第２コンテナＴＣ２がトナー供給部１３に装着された時、前面カバー１０１を開放した時、及び電源をオフした時に、コンテナ比較画面９００を表示する。コンテナ比較画面９００には、表示内容ＤＧの欄に示すように、使用率ＲＣが、零％、２５％、５０％及び７５％の各々の場合における特定情報ＪＰを表示する。
【００５６】
使用率ＲＣが１００％である場合には、表示条件ＤＣの欄に示すように、表示制御部８０４は、第２コンテナＴＣ２がトナー供給部１３に装着された時、前面カバー１０１を開放した時、電源をオフした時、及びスリープ状態から起動した時に、コンテナ比較画面９００を表示する。コンテナ比較画面９００には、表示内容ＤＧの欄に示すように、使用率ＲＣが、零％、２５％、５０％、７５％及び１００％の各々の場合における特定情報ＪＰを表示する。
【００５７】
以上、図３及び図４を参照して説明したように、本発明の実施形態では、使用率ＲＣに基づいて、特定情報ＪＰの表示頻度を決定する。例えば、第２コンテナＴＣ２（例えば、非純正品）の使用率ＲＣの値が大きい程、特定情報ＪＰの表示頻度を高くする。よって、特定情報ＪＰをユーザーが確実に確認できる。したがって、ユーザーの利便性を向上できる。
【００５８】
なお、本発明の実施形態では、特定情報ＪＰをコンテナ比較画面９００に表示するが、本発明はこれに限定されない。表示制御部８０４が特定情報ＪＰをタッチパネル１４１に表示すればよい。例えば、表示制御部８０４が特定情報ＪＰをタッチパネル１４１にポップアップ表示してもよい。また、例えば、表示制御部８０４が特定情報ＪＰを文字画像としてタッチパネル１４１に表示してもよい。
【００５９】
図５は、タッチパネル１４１に表示するコンテナ比較画面９００の一例を示す画面図である。図５に示すように、コンテナ比較画面９００には、第１グラフ表示部９０１、第２グラフ表示部９０２、第３グラフ表示部９０３、ＯＫボタン９０４及びヘルプボタン９０５が表示される。使用率ＲＣが２５％である場合に、表示制御部８０４は、図５に示すコンテナ比較画面９００をタッチパネル１４１に表示する。
【００６０】
第１グラフ表示部９０１には、使用率ＲＣとトナーＴＮの消費量ＣＳとの関係を示すグラフが表示される。グラフの横軸は、使用率ＲＣを示し、縦軸は、トナーＴＮの消費量ＣＳを示す。グラフには、使用率ＲＣが零％の場合の消費量ＣＳを示す第１棒グラフと、使用率ＲＣが２５％の場合の消費量ＣＳを示す第２棒グラフとが表示されている。第２棒グラフには、ハッチングが付され、現在の使用率ＲＣが２５％であることを示している。使用率ＲＣが２５％から零％に変化する場合には、消費量ＣＳが９５％に減少することを、第２棒グラフに「１００」と記載し、第１棒グラフに「９５」と記載することで示している。
【００６１】
第２グラフ表示部９０２には、使用率ＲＣとジャムの発生回数ＮＪとの関係を示すグラフが表示される。グラフの横軸は、使用率ＲＣを示し、縦軸は、ジャムの発生回数ＮＪを示す。グラフには、使用率ＲＣが零％の場合の発生回数ＮＪを示す第１棒グラフと、使用率ＲＣが２５％の場合の発生回数ＮＪを示す第２棒グラフとが表示されている。第２棒グラフには、ハッチングが付され、現在の使用率ＲＣが２５％であることを示している。使用率ＲＣが２５％から零％に変化する場合には、発生回数ＮＪが９０％に減少することを、第２棒グラフに「１００」と記載し、第１棒グラフに「９０」と記載することで示している。
【００６２】
第３グラフ表示部９０３には、使用率ＲＣと消費電力量Ｑとの関係を示すグラフが表示される。グラフの横軸は、使用率ＲＣを示し、縦軸は、消費電力量Ｑを示す。グラフには、使用率ＲＣが零％の場合の消費電力量Ｑを示す第１棒グラフと、使用率ＲＣが２５％の場合の消費電力量Ｑを示す第２棒グラフとが表示されている。第２棒グラフには、ハッチングが付され、現在の使用率ＲＣが２５％であることを示している。使用率ＲＣが２５％から零％に変化する場合には、消費電力量Ｑが９８％に減少することを、第２棒グラフに「１００」と記載し、第１棒グラフに「９８」と記載することで示している。
【００６３】
ＯＫボタン９０４は、コンテナ比較画面９００の内容をユーザーが確認した場合にタッチされる。ＯＫボタン９０４がタッチされた場合には、表示制御部８０４は、コンテナ比較画面９００を非表示にする。
【００６４】
ヘルプボタン９０５は、コンテナ比較画面９００の表示内容に関してユーザーが質問したい場合にタッチされる。ヘルプボタン９０５がタッチされた場合には、表示制御部８０４の表示内容を説明する画面が表示される。ヘルプボタン９０５がタッチされた場合に、画像形成装置１００の管理者の連絡先が表示されてもよい。
【００６５】
以上、図３〜図５を参照して説明したように、本発明の実施形態では、表示制御部８０４は、第１使用率ＲＣ１（例えば、２５％）に対応する特定情報ＪＰと、第２使用率ＲＣ２（例えば、零％）に対応する特定情報ＪＰとを表示する。第２使用率ＲＣ２は、第１使用率ＲＣ１より小さい。よって、ユーザーは、第１使用率ＲＣ１に対応する特定情報ＪＰと第２使用率ＲＣ２に対応する特定情報ＪＰとを比較できる。したがって、ユーザーの利便性を更に向上できる。
【００６６】
なお、本発明の実施形態では、表示制御部８０４は、第１使用率ＲＣ１に対応する特定情報ＪＰと、第２使用率ＲＣ２に対応する特定情報ＪＰとを表示するが、本発明はこれに限定されない。表示制御部８０４が、第１使用率ＲＣ１に対応する特定情報ＪＰと、第１使用率ＲＣ１と相違する使用率ＲＣに対応する特定情報ＪＰとを表示すればよい。例えば、第１使用率ＲＣ１（例えば、２５％）に対応する特定情報ＪＰと、第３使用率ＲＣ３（例えば、５０％）に対応する特定情報ＪＰとを表示してもよい。第３使用率ＲＣ３は、第１使用率ＲＣ１より大きい。よって、ユーザーは、第１使用率ＲＣ１に対応する特定情報ＪＰと第３使用率ＲＣ３に対応する特定情報ＪＰとを比較できる。したがって、ユーザーの利便性を更に向上できる。
【００６７】
また、本発明の実施形態では、使用率ＲＣは、トナーコンテナＴＣの総数（例えば、４つ）に対する第２コンテナＴＣ２の個数の割合を示すが、本発明はこれに限定されない。判定部８０２の判定結果と、複数個（例えば、４つ）のトナーコンテナＴＣの各々に付与された重みとに基づき、使用率ＲＣを算出してもよい。
【００６８】
例えば、次の式（１）に基づき、使用率ＲＣを算出してもよい。
ＲＣ＝Ｗ１×Ｆ（ＴＣｃ）＋Ｗ２×Ｆ（ＴＣｍ）
＋Ｗ３×Ｆ（ＴＣｙ）＋Ｗ４×Ｆ（ＴＣｋ）      （１）
ただし、Ｗ１〜Ｗ４は、トナーコンテナＴＣｃ〜トナーコンテナＴＣｋの各々の重みを示す。Ｆ（ＴＣｃ）は、トナーコンテナＴＣｃが第２コンテナＴＣ２である場合には「１」であり、トナーコンテナＴＣｃが第１コンテナＴＣ１である場合には「０」である関数を示す。Ｆ（ＴＣｍ）は、トナーコンテナＴＣｍが第２コンテナＴＣ２である場合には「１」であり、トナーコンテナＴＣｃが第１コンテナＴＣ１である場合には「０」である関数を示す。Ｆ（ＴＣｙ）は、トナーコンテナＴＣｙが第２コンテナＴＣ２である場合には「１」であり、トナーコンテナＴＣｃが第１コンテナＴＣ１である場合には「０」である関数を示す。Ｆ（ＴＣｋ）は、トナーコンテナＴＣｋが第２コンテナＴＣ２である場合には「１」であり、トナーコンテナＴＣｃが第１コンテナＴＣ１である場合には「０」である関数を示す。
【００６９】
この場合には、例えば、複数個のトナーコンテナＴＣのうちの使用頻度の高いトナーコンテナＴＣ（例えば、トナーコンテナＴＣｋ）の重み（例えば、Ｗ４）を、他のトナーコンテナＴＣ（例えば、トナーコンテナＴＣｃ、トナーコンテナＴＣｍ及びトナーコンテナＴＣｙ）の重み（例えば、Ｗ１〜Ｗ３）よりも大きくすることによって、使用実態に応じた使用率ＲＣを算出できる。
【００７０】
更に、複数色（例えば、４色）のトナーＴＮの各々について、第１トナーＴＮＡの消費量ＣＳ１の累計値ＣＳＡ１と、第２トナーＴＮＢの消費量ＣＳの累計値ＣＳＡ２とに基づき、使用率ＲＣを算出してもよい。ただし、第１トナーＴＮＡは、第１コンテナＴＣ１に収納されたトナーＴＮを示し、第２トナーＴＮＢは、第２コンテナＴＣ２に収納されたトナーＴＮを示す。
【００７１】
例えば、次の式（２）に基づき、使用率ＲＣを算出してもよい。
ＲＣ＝ＣＳＡ２／（ＣＳＡ１＋ＣＳＡ２）      （２）
この場合には、複数色のトナーＴＮについて、使用実態に応じた使用率ＲＣを算出できる。
【００７２】
図６は、タッチパネル１４１に表示するコンテナ比較画面９００の別の一例を示す画面図である。使用率ＲＣが７５％である場合に、表示制御部８０４は、図６に示すコンテナ比較画面９００をタッチパネル１４１に表示する。図６に示すコンテナ比較画面９００は、図５に示すコンテナ比較画面９００と比較して、第１使用率ＲＣ１が相違している。すなわち、図５に示すコンテナ比較画面９００では第１使用率ＲＣ１が２５％であるのに対して、図６に示すコンテナ比較画面９００では第１使用率ＲＣ１が７５％である。第１使用率ＲＣ１は、画像形成装置１００における使用率ＲＣを示す。
【００７３】
図６に示すように、コンテナ比較画面９００には、第１グラフ表示部９１１、第２グラフ表示部９１２、第３グラフ表示部９１３、ＯＫボタン９０４及びヘルプボタン９０５が表示される。ＯＫボタン９０４は、図５に示すコンテナ比較画面９００のＯＫボタン９０４と同一であり、ヘルプボタン９０５は、図５に示すコンテナ比較画面９００のヘルプボタン９０５と同一であるため、その説明を省略する。
【００７４】
第１グラフ表示部９１１には、使用率ＲＣとトナーＴＮの消費量ＣＳとの関係を示すグラフが表示される。グラフの横軸は、使用率ＲＣを示し、縦軸は、トナーＴＮの消費量ＣＳを示す。グラフには、使用率ＲＣが零％の場合の消費量ＣＳを示す第１棒グラフと、使用率ＲＣが２５％の場合の消費量ＣＳを示す第２棒グラフと、使用率ＲＣが５０％の場合の消費量ＣＳを示す第３棒グラフと、使用率ＲＣが７５％の場合の消費量ＣＳを示す第４棒グラフとが表示されている。第４棒グラフには、ハッチングが付され、現在の使用率ＲＣが７５％であることを示している。
【００７５】
第４棒グラフには「１００」と記載され、第３棒グラフには「９５」と記載され、第２棒グラフには「８５」と記載され、第１棒グラフには「８０」と記載されている。これらの記載によって、使用率ＲＣが７５％から５０％に変化する場合には消費量ＣＳが９５％に減少することが示され、使用率ＲＣが７５％から２５％に変化する場合には消費量ＣＳが８５％に減少することが示され、使用率ＲＣが７５％から零％に変化する場合には消費量ＣＳが８０％に減少することが示されている。
【００７６】
第２グラフ表示部９１２には、使用率ＲＣとジャムの発生回数ＮＪとの関係を示すグラフが表示される。グラフの横軸は、使用率ＲＣを示し、縦軸は、ジャムの発生回数ＮＪを示す。グラフには、使用率ＲＣが零％の場合の発生回数ＮＪを示す第１棒グラフと、使用率ＲＣが２５％の場合の発生回数ＮＪを示す第２棒グラフと、使用率ＲＣが５０％の場合の発生回数ＮＪを示す第３棒グラフと、使用率ＲＣが７５％の場合の発生回数ＮＪを示す第４棒グラフとが表示されている。第４棒グラフには、ハッチングが付され、現在の使用率ＲＣが７５％であることを示している。
【００７７】
第４棒グラフには「１００」と記載され、第３棒グラフには「９７」と記載され、第２棒グラフには「９０」と記載され、第１棒グラフには「８５」と記載されている。これらの記載によって、使用率ＲＣが７５％から５０％に変化する場合には発生回数ＮＪが９７％に減少することが示され、使用率ＲＣが７５％から２５％に変化する場合には発生回数ＮＪが９０％に減少することが示され、使用率ＲＣが７５％から零％に変化する場合には発生回数ＮＪが８５％に減少することが示されている。
【００７８】
第３グラフ表示部９１３には、使用率ＲＣと消費電力量Ｑとの関係を示すグラフが表示される。グラフの横軸は、使用率ＲＣを示し、縦軸は、消費電力量Ｑを示す。グラフには、使用率ＲＣが零％の場合の消費電力量Ｑを示す第１棒グラフと、使用率ＲＣが２５％の場合の消費電力量Ｑを示す第２棒グラフと、使用率ＲＣが５０％の場合の消費電力量Ｑを示す第３棒グラフと、使用率ＲＣが７５％の場合の消費電力量Ｑを示す第４棒グラフとが表示されている。第４棒グラフには、ハッチングが付され、現在の使用率ＲＣが７５％であることを示している。
【００７９】
第４棒グラフには「１００」と記載され、第３棒グラフには「９８」と記載され、第２棒グラフには「９６」と記載され、第１棒グラフには「９４」と記載されている。これらの記載によって、使用率ＲＣが７５％から５０％に変化する場合には消費電力量Ｑが９８％に減少することが示され、使用率ＲＣが７５％から２５％に変化する場合には消費電力量Ｑが９６％に減少することが示され、使用率ＲＣが７５％から零％に変化する場合には消費電力量Ｑが９４％に減少することが示されている。
【００８０】
以上、図３〜図６を参照して説明したように、本発明の実施形態では、表示制御部８０４は、第１使用率ＲＣ１（例えば、７５％）に対応する特定情報ＪＰと、第２使用率ＲＣ２（例えば、５０％、２５％及び零％）に対応する特定情報ＪＰとを表示する。第２使用率ＲＣ２は、第１使用率ＲＣ１より小さい。よって、ユーザーは、第１使用率ＲＣ１に対応する特定情報ＪＰと第２使用率ＲＣ２に対応する特定情報ＪＰとを比較できる。したがって、ユーザーの利便性を更に向上できる。
【００８１】
また、複数の第２使用率ＲＣ２（例えば、５０％、２５％及び零％）の各々に対応する特定情報ＪＰを表示するため、第１使用率ＲＣ１に対応する特定情報ＪＰと複数の第２使用率ＲＣ２の各々に対応する特定情報ＪＰとを比較できる。したがって、ユーザーの利便性を更に向上できる。
【００８２】
更に、画像形成部４は、複数色（例えば、４色）のトナーＴＮを消費することによって用紙Ｐにカラー画像を形成可能であり、特定情報ＪＰは、複数個（例えば４つ）のトナーコンテナＴＣに関連する情報である。よって、カラー画像を形成可能な画像形成装置１００において、トナーコンテナＴＣに関する情報をユーザーが確認できる。したがって、ユーザーの利便性を更に向上できる。
【００８３】
次に、図３〜図９を参照して、制御部８の処理について説明する。図７及び図８は、制御部８の処理の一例を示すフローチャートである。
図７に示すように、ステップＳ１０１において、制御部８が、トナー供給部１３にトナーコンテナＴＣが装着されたか否かを判定する。
トナー供給部１３にトナーコンテナＴＣが装着されていないと制御部８が判定した場合（ステップＳ１０１でＮＯ）には、処理が待機状態になる。トナー供給部１３にトナーコンテナＴＣが装着されたと制御部８が判定した場合（ステップＳ１０１でＹＥＳ）には、処理がステップＳ１０３に進む。
そして、ステップＳ１０３において、取得部８０１が、トナー供給部１３に装着されたトナーコンテナＴＣの識別情報ＪＤを取得する。
次に、ステップＳ１０５において、判定部８０２が、トナー供給部１３に装着されたトナーコンテナＴＣが、第２コンテナＴＣ２であるか否かを判定する。
【００８４】
トナー供給部１３に装着されたトナーコンテナＴＣが第２コンテナＴＣ２であると判定部８０２が判定した場合（ステップＳ１０５でＹＥＳ）には、処理がステップＳ１０７に進む。
そして、ステップＳ１０７において、算出部８０３が、第２コンテナＴＣ２の使用率ＲＣを算出し、処理がステップＳ１０９に進む。
トナー供給部１３に装着されたトナーコンテナＴＣが第２コンテナＴＣ２ではないと判定部８０２が判定した場合（ステップＳ１０５でＮＯ）には、処理がステップＳ１１１に進む。
そして、ステップＳ１１１において、算出部８０３が、第２コンテナＴＣ２の使用率ＲＣを算出する。
次に、ステップＳ１１３において、制御部８が、使用率ＲＣが２５％以上であるか否かを判定する。
使用率ＲＣが２５％以上ではないと制御部８が判定した場合（ステップＳ１１３でＮＯ）には、処理がステップＳ１１５に進む。使用率ＲＣが２５％以上であると制御部８が判定した場合（ステップＳ１１３でＹＥＳ）には、処理がステップＳ１０９に進む。
そして、ステップＳ１０９において、表示制御部８０４が、コンテナ比較画面９００をタッチパネル１４１に表示する。
【００８５】
次に、ステップＳ１１５において、制御部８が、前面カバー１０１が開放されたか否かを判定する。
前面カバー１０１が開放されていないと制御部８が判定した場合（ステップＳ１１５でＮＯ）には、処理が図８に示すステップＳ１２１に進む。前面カバー１０１が開放されたと制御部８が判定した場合（ステップＳ１１５でＹＥＳ）には、処理がステップＳ１１７に進む。
そして、ステップＳ１１７において、制御部８が、使用率ＲＣが５０％以上であるか否かを判定する。
使用率ＲＣが５０％以上ではないと制御部８が判定した場合（ステップＳ１１７でＮＯ）には、処理が図８に示すステップＳ１２１に進む。使用率ＲＣが５０％以上であると制御部８が判定した場合（ステップＳ１１７でＹＥＳ）には、処理がステップＳ１１９に進む。
そして、ステップＳ１１９において、表示制御部８０４が、コンテナ比較画面９００をタッチパネル１４１に表示し、処理が図８に示すステップＳ１２１に進む。
【００８６】
次に、図８に示すように、ステップＳ１２１において、制御部８が、電源がオフされたか否かを判定する。
電源がオフされていないと制御部８が判定した場合（ステップＳ１２１でＮＯ）には、処理がステップＳ１２７に進む。電源がオフされたと制御部８が判定した場合（ステップＳ１２１でＹＥＳ）には、処理がステップＳ１２３に進む。
そして、ステップＳ１２３において、制御部８が、使用率ＲＣが７５％以上であるか否かを判定する。
使用率ＲＣが７５％以上ではないと制御部８が判定した場合（ステップＳ１２３でＮＯ）には、処理がステップＳ１２７に進む。使用率ＲＣが７５％以上であると制御部８が判定した場合（ステップＳ１２３でＹＥＳ）には、処理がステップＳ１２５に進む。
そして、ステップＳ１２５において、表示制御部８０４が、コンテナ比較画面９００をタッチパネル１４１に表示する。
【００８７】
次に、ステップＳ１２７において、制御部８が、スリープ状態から起動したか否かを判定する。
スリープ状態から起動していないと制御部８が判定した場合（ステップＳ１２７でＮＯ）には、処理がステップＳ１３３に進む。スリープ状態から起動したと制御部８が判定した場合（ステップＳ１２７でＹＥＳ）には、処理がステップＳ１２９に進む。
そして、ステップＳ１２９において、制御部８が、使用率ＲＣが１００％以上であるか否かを判定する。
使用率ＲＣが１００％以上ではないと制御部８が判定した場合（ステップＳ１２９でＮＯ）には、処理がステップＳ１３３に進む。使用率ＲＣが１００％以上であると制御部８が判定した場合（ステップＳ１２９でＹＥＳ）には、処理がステップＳ１３１に進む。
そして、ステップＳ１３１において、表示制御部８０４が、コンテナ比較画面９００をタッチパネル１４１に表示する。
【００８８】
次に、ステップＳ１３３において、制御部８が、プリントジョブＪＢを実行したか否かを判定する。
プリントジョブＪＢを実行していないと制御部８が判定した場合（ステップＳ１３３でＮＯ）には、処理がステップＳ１３７に進む。プリントジョブＪＢを実行したと制御部８が判定した場合（ステップＳ１３３でＹＥＳ）には、処理がステップＳ１３５に進む。
そして、ステップＳ１３５において、制御部８が、「コスト算出処理」を実行する。「コスト算出処理」は、タッチパネル１４１に表示する特定情報ＪＰを算出する処理を示す。具体的には、「コスト算出処理」は、トナーＴＮの消費量ＣＳ、画像形成部４におけるジャムの発生回数ＮＪ及び画像形成装置１００の消費電力量Ｑを算出する処理を示す。
次に、ステップＳ１３７において、制御部８が、トナーＴＮの残量ＲＴが所定量ＰＲＡ以下であるか否かを判定する。所定量ＰＲＡは、極めて少量（例えば、２グラム）に設定される。すなわち、制御部８は、トナーコンテナＴＣが空であるか否かを判定する。
トナーコンテナＴＣが所定量ＰＲＡ以下ではないと制御部８が判定した場合（ステップＳ１３７でＮＯ）には、処理が図７のステップＳ１１３に戻る。トナーコンテナＴＣが所定量ＰＲＡ以下であると制御部８が判定した場合（ステップＳ１３７でＹＥＳ）には、処理が図７のステップＳ１０１にリターンする。
【００８９】
次に、図９及び図１０を参照して、制御部８の「コスト算出処理」について説明する。図９及び図１０は、制御部８の「コスト算出処理」の一例を示すフローチャートである。
まず、図９に示すように、ステップＳ２０１において、制御部８は、ドットカウント値ＤＴを算出する。ドットカウント値ＤＴは、画像形成部４が用紙Ｐに形成する画像に含まれるドットの総数を示す。
次に、ステップＳ２０３において、制御部８は、トナー消費量ΔＣＳを算出する。トナー消費量ΔＣＳは、プリントジョブＪＢを実行する前のトナーＴＮの残量ＲＴから、プリントジョブＪＢを実行した後のトナーＴＮの残量ＲＴを引いた差を示す。
次に、ステップＳ２０５において、制御部８は、累計ドットカウント値ＤＴＡがドットカウント値ＤＴだけ増加するように累計ドットカウント値ＤＴＡを更新する。累計ドットカウント値ＤＴＡは、ドットカウント値ＤＴの積算値を示す。
次に、ステップＳ２０７において、制御部８は、累計トナー消費量ＣＳＡがトナー消費量ΔＣＳだけ増加するように累計トナー消費量ＣＳＡを更新する。累計トナー消費量ＣＳＡは、トナー消費量ΔＣＳの積算値を示す。
次に、ステップＳ２０９において、制御部８は、累計トナー消費量ＣＳＡを累計ドットカウント値ＤＴＡで除することによって１ドット当たりのトナー消費量ＣＳを算出する。
【００９０】
次に、ステップＳ２１１において、制御部８は、画像形成部４におけるジャム発生回数Ｎを取得する。
次に、ステップＳ２１３において、制御部８は、プリントジョブＪＢにおけるプリント枚数ＮＰを取得する。プリント枚数ＮＰは、プリントジョブＪＢにおいて画像が形成される用紙Ｐの枚数を示す。
次に、ステップＳ２１５において、制御部８は、累計ジャム発生回数ＮＡがジャム発生回数Ｎだけ増加するように累計ジャム発生回数ＮＡを更新する。累計ジャム発生回数ＮＡは、ジャム発生回数Ｎの積算値を示す。
次に、ステップＳ２１７において、制御部８は、累計プリント枚数ＮＰＡがプリント枚数ＮＰだけ増加するように累計プリント枚数ＮＰＡを更新する。累計プリント枚数ＮＰＡは、プリント枚数ＮＰの積算値を示す。
次に、ステップＳ２１９において、制御部８は、累計ジャム発生回数ＮＡを累計プリント枚数ＮＰＡで除することによって１枚当たりのジャム発生回数ＮＪを算出する。
【００９１】
次に、図１０に示すように、ステップＳ２２１において、制御部８は、消費電力量ΔＱを取得する。消費電力量ΔＱは、プリントジョブＪＢを実行するために消費する電力量を示す。
次に、ステップＳ２２３において、制御部８は、累計消費電力量ＱＡが消費電力量ΔＱだけ増加するように累計消費電力量ＱＡを更新する。累計消費電力量ＱＡは、消費電力量ΔＱの積算値を示す。
次に、ステップＳ２２５において、制御部８は、累計消費電力量ＱＡを累計プリント枚数ＮＰＡで除することによって１枚当たりの消費電力量Ｑを算出する。
次に、ステップＳ２２７において、制御部８は、トナー消費量ＣＳ、ジャム発生回数ＮＪ及び消費電力量Ｑを使用率ＲＣと対応付けて記憶部８２に記憶し、処理が図８のステップＳ１３７にリターンされる。
【００９２】
以上、図３〜図１０を参照して説明したように、本発明の実施形態では、使用率ＲＣの値が大きい程、コンテナ比較画面９００の表示頻度を高くする。よって、特定情報ＪＰをユーザーが確実に確認できる。したがって、ユーザーの利便性を更に向上できる。
【００９３】
なお、本発明の実施形態では、トナーＴＮの消費量ＣＳとして、１ドット当たりのトナー消費量を算出するが、本発明はこれに限定されない。例えば、トナーＴＮの消費量ＣＳとして、所定個数（例えば、１０００個）のドット当たりのトナー消費量を算出してもよい。また、例えば、トナーＴＮの消費量ＣＳとして、所定印字率（例えば、１０％の印字率）当たりのトナー消費量を算出してもよい。
【００９４】
「印字率」とは、用紙Ｐに形成される画像の積算面積ＳＲ１の、用紙Ｐの面積ＳＲ２に対する比率（ＳＲ１／ＳＲ２）のことである。具体的には、積算面積ＳＲ１は、用紙Ｐに形成されるシアン色のトナーＴＮ１の画像の積算面積と、用紙Ｐに形成されるマゼンタ色のトナーＴＮ２の画像の積算面積と、用紙Ｐに形成されるイエロー色のトナーＴＮ３の画像の積算面積と、用紙Ｐに形成される黒色のトナーＴＮ４の画像の積算面積との和を示す。
【００９５】
また、本発明の実施形態では、ジャム発生回数ＮＪとして、１枚当たりのジャム発生回数を算出するが、本発明はこれに限定されない。例えば、ジャム発生回数ＮＪとして、所定枚数（例えば、１０００枚）当たりのジャム発生回数を算出してもよい。
【００９６】
更に、本発明の実施形態では、消費電力量Ｑとして、１枚当たりの消費電力量を算出するが、本発明はこれに限定されない。例えば、消費電力量Ｑとして、所定枚数（例えば、１０００枚）当たりの消費電力量Ｑを算出してもよい。
【００９７】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００９８】
（１）図１及び図２を参照して説明したように、本発明の実施形態では、「消耗品」がトナーＴＮであり、「交換部品」がトナーコンテナＴＣであるが、本発明はこれに限定されない。「消耗品」を消費することによって用紙Ｐに画像を形成すればよい。例えば、「消耗品」がインクであり、「交換部品」がインクカートリッジでもよい。この場合には、「画像形成装置」は、インクジェット記録装置である。
【００９９】
（２）図１及び図２を参照して説明したように、本発明の実施形態では、画像形成装置１００がカラー複合機であるが、本発明はこれに限定されない。画像形成装置１００が用紙Ｐに画像を形成すればよい。例えば、画像形成装置１００がモノクロの複合機でもよいし、画像形成装置１００がカラープリンターでもよい。
【０１００】
（３）図１〜図３を参照して説明したように、本発明の実施形態では、第１コンテナＴＣ１が、専用品を示し、第２コンテナＴＣ２が非専用品を示すが、本発明はこれに限定されない。第１コンテナＴＣ１が「第１品質」のトナーを収納し、第２コンテナＴＣ２が「第２品質」のトナーを収納していればよい。「第１品質」のトナーは、「第２品質」のトナーと比較して品質が相違する。
【産業上の利用可能性】
【０１０１】
本発明は、画像形成装置の分野に利用可能である。
【符号の説明】
【０１０２】
１００    画像形成装置
１    画像形成ユニット
１０    筐体
１０１    前面カバー
４、４ｃ、４ｍ、４ｙ、４ｋ    画像形成部
４２、４２ｃ、４２ｍ、４２ｙ、４２ｋ    感光体ドラム
４３、４３ｃ、４３ｍ、４３ｙ、４３ｋ    現像部
４３１、４３１ｃ、４３１ｍ、４３１ｙ、４３１ｋ    現像ローラー
４６    廃棄トナーコンテナ
４６１    廃棄トナー量センサー
５    転写部
５１、５１ｃ、５１ｍ、５１ｙ、５１ｋ    一次転写ローラー
５２    二次転写ローラー
５３    駆動ローラー
５４    中間転写ベルト
１６    定着部
１３    トナー供給部（装着部）
ＴＣ、ＴＣｃ、ＴＣｍ、ＴＣｙ、ＴＣｋ    トナーコンテナ（交換部品）
６、６１、６２、６３、６４    ＩＣタグ
Ｓ、Ｓ１、Ｓ２、Ｓ３、Ｓ４    残量センサー
ＲＴ、ＲＴｃ、ＲＴｍ、ＲＴｙ、ＲＴｋ    残量
７、７１、７２、７３、７４    リーダー
１４    操作パネル
１４１    タッチパネル（ディスプレー）
８    制御部
８１    プロセッサー
８０１    取得部
８０２    判定部
８０３    算出部
８０４    表示制御部
８２    記憶部
２    画像読取ユニット
３    原稿搬送ユニット
【図１】
2019095689.tif 000003
【図２】
2019095689.tif 000004
【図３】
2019095689.tif 000005
【図４】
2019095689.tif 000006
【図５】
2019095689.tif 000007
【図６】
2019095689.tif 000008
【図７】
2019095689.tif 000009
【図８】
2019095689.tif 000010
【図９】
2019095689.tif 000011
【図１０】
2019095689.tif 000012